(57)【要約】      （修正有）【課題】コンピュータ机の昇降装置の提供。【解決手段】本考案のコンピュータ机の昇降装置は、主に、引動座、及び、固定座を組み合わせてなり、引動座は、それぞれ、コンピュータ机のボード下方の二側に枢設され、固定座は、引動座を挿置するコンピュータ机の支承架の適当な箇所に固設される。その特徴は、コンピュータ机のボードを昇降調整する時、補助ボタンを操作して、ブロックを引動座の鎖孔から脱離させ、調整棒により昇降させる。また、補助ボタンを引動座の鎖孔に嵌めこむと、調整棒の昇降が不能なので、安全性が高い。【選択図】図１
0003121889.tif 000002
【実用新案登録請求の範囲】
【請求項１】
コンピュータ机の昇降装置であって、主に、引動座、及び、固定座を組み合わせてなり、前記引動座は、それぞれ、コンピュータ机のボード下方の二側に枢設され、前記固定座は、前記引動座を挿置するコンピュータ机の支承架の適当な箇所に固設され、その特徴は、
前記コンピュータ机は昇降調整が必要な時、引動座の補助ボタンを操作して、ブロックを引動座の鎖孔から脱離させ、ボタンに施力して、前記引動座を軸向けの中央に近い位置に設計された調整棒により昇降させ、安全な高度調整が達成されるもので、前記固定座板体がプラスチックの一体成型でなり、スロットの位置方向に、対称な導板を設置し、前記引導座の滑動伸縮作動を導き、前記固定座上に、長方形孔を有し、且つ、長方形孔上に、複数の片側に排列された停止口を有し、前記調整棒の柱が滑動して係制することを特徴とするコンピュータ机の昇降装置。
【請求項２】
前記引動座は、蓋板と組み合わされてフレーム状を形成し、前記固定座のスロットの伸縮滑動の過程で、好ましい密合性を保持し、美観効果を達成することを特徴とする請求項１に記載のコンピュータ机の昇降装置。
【請求項３】
前記引動座表面は、前記調整棒末端に連設された停止ブロックの柱の停止位置に基づいて、ボードの地面からの高度を示す数字表を設置し、前記引動座はその頂部で折縁を一体彎折し、直接、或いは、間接的にボードを固定することを特徴とする請求項１に記載のコンピュータ机の昇降装置。  
【請求項４】
前記固定座板体に排列された停止口はなくとも１０個以上で、且つ、停止口の距離は２０ｍ／ｍで、これにより、ボードは長距離、多段式のボード高度調整機能を達成することを特徴とする請求項１に記載のコンピュータ机の昇降装置。
【請求項５】
ボードの高度は、地面から５００ｍ／ｍ〜７２０ｍ／ｍ間に設定でき、長距離の調整使用が可能であることを特徴とする請求項１に記載のコンピュータ机の昇降装置。  
【請求項６】
前記補助ボタン外層は、突縁を設け、手指で操作しやすいことを特徴とする請求項１に記載のコンピュータ机の昇降装置。
【考案の詳細な説明】
【技術分野】
【０００１】
本考案はコンピュータ机用の昇降装置に関し、詳細には、コンピュータ机のボードが長距離の昇降幅を有し、且つ、多段式で調節できる以外に、ボードに安全紐を設計し、実用的、安全、及び、新規性のあるコンピュータ机の昇降装置に関する。
【背景技術】
【０００２】
公知のコンピュータ用机のボードの高度を調整する形態、及び、種類は二種ある。
【０００３】
一つ目は、ピン式で、ボード下方の二側に固設された軸棒を、それぞれ、底座が上方向に延伸するスリーブ中に挿入し、即ち、軸棒とスリーブの横方向に設けられた若干の対称な通孔により、ピン（或いは、ねじ）により、適当仲人の対称通孔を選択して貫通跨置し、ボードの高度を固定する。
【０００４】
その欠点は、ボード二側の軸棒とスリーブは、ピン（或いは、ねじ）を横向きに貫通して、ボードの高度を調整する時、ボードの一側のピン（或いは、ねじ）を抽出し、軸棒を適当な高度にした後、再び、ピン（或いは、ねじ）を挿入して定位させ、同様の工程により、コンピュータ机のボードのもう一側の軸棒とピン（或いは、ねじ）により定位しなければならない。この操作方式は、一人では実行できないので非常に不便で、また、ピン、或いは、ねじを貫設するのは、ピン、或いは、ねじもう一端に鎖設された防脱リング、或いは、ナットが緩まないか、滑出しないかを注意しなければならず、注意を怠ると、ピンやねじが脱落して、ボードが垂落、滑落が生じて、ボード上の物品（コンピュータや周辺設備）が脱落しかねない。
【０００５】
二つ目は、ボード二側の軸棒とスリーブの組み合わせ定位は、単一の気圧式制御棒により二側の軸棒の昇降を操作するものである。
【０００６】
その欠点は、気圧棒により二側の軸棒高度を調整するので、上昇制御時、二側の弾力の不均一で、ボードが揺動しやすい。下降調整時、ボードは下に施圧して、軸棒を下降させるので、操作上、難しく、また、不便であり、ボードは長時間、承圧すると、軸棒が微下降した時、ボードの水平度に偏差が生じる。
【考案の開示】
【考案が解決しようとする課題】
【０００７】
本考案の目的は、上述の欠点を改善するような、コンピュータ机のボードが長距離の昇降幅を有し、且つ、多段式で調節できる以外に、ボードに安全ボタンを設計し、実用的、安全、及び、新規性のあるコンピュータ机の昇降装置を提供することを目的とする。
【課題を解決するための手段】
【０００８】
本考案のコンピュータ机の昇降装置は、主に、引動座、及び、固定座を組み合わせてなり、その特徴は、引動座は、それぞれ、コンピュータ机のボード下方の二側に枢設され、固定座は、引動座を挿置するコンピュータ机の支承架の適当な箇所に固設される。引動座の安全ボタンと補助ボタンを操作して、ブロックを引動座の鎖孔から脱離させ、調整棒により昇降させる。引動座は、蓋板と組み合わされてフレーム状を形成し、固定座のスロットの伸縮滑動の過程で、好ましい密合性を保持し、手指を挟傷しないようにし、及び、美観効果を達成する。且つ、引動座表面は、調整棒末端に連設された停止ブロックの柱の停止位置に基づいて、ボードの地面からの高度を示す数字表を設置し、引動座はその頂部で折縁を一体彎折し、直接、或いは、間接的にボードを固定する。
【０００９】
本考案のコンピュータ机の昇降装置は、固定座がプラスチックの一体成型でなり、スロットの位置方向に、対称な導板を設置し、引導座の滑動伸縮作動を導き、固定座上に、長方形孔を有し、且つ、長方形孔上に、ほぼ等距離で横向けに排列された停止口を有し、調整棒の柱が滑動して係制する。
【００１０】
本考案のコンピュータ机の昇降装置は、固定座板体の孔一側辺が列設された停止口は少なくとも１０個以上で、且つ、停止口の距離は２０ｍ／ｍで、これにより、ボードは長距離、多段式のボード高度調整機能を達成する。人の成長過程で、身長に合わせて適当な高度に調節できる以外に、ボードの高度は、地面から５００ｍ／ｍ〜７２０ｍ／ｍ間に設定でき、故に、コンピュータ机用ボードの高度は、和室（５０ＣＭ）から高さ７２ＣＭまで適用できる。
【考案の効果】
【００１１】
本考案により、コンピュータ机のボードが長距離の昇降幅を有し、且つ、多段式で調節できる以外に、ボードに安全ボタンを設計し、実用的、安全、及び、新規性のあるコンピュータ机の昇降装置が提供される。
【考案を実施するための最良の形態】
【００１２】
本考案のコンピュータ机１の昇降装置は、引動座１１、及び、固定座１２を組み合わせてなる。
【００１３】
引動座１１は、それぞれ、コンピュータ机１のボード１３下方の二側に枢設され、固定座１２は、引動座１１を挿置するコンピュータ机の支承架１４の適当な箇所に固設される。引動座１１の安全ボタン１１１と補助ボタン１１０を操作して、ブロック１１０１を引動座１１の鎖孔１１７から脱離させ、調整棒１１２により昇降させる。引動座１１は、蓋板１１３と組み合わされてフレーム状を形成し、固定座１２のスロット１２１の伸縮滑動の過程で、好ましい密合性を保持し、手指を挟傷しないようにし、及び、美観効果を達成する。且つ、引動座１１表面は、調整棒１２末端に連設された停止ブロック１５の柱151の停止位置に基づいて、ボード１３の地面からの高度を示す数字表１１４を設置し、引動座１１はその頂部で折縁１１５を一体彎折し、直接、或いは、間接的にボード１３を固定する。停止ブロック１５は、引動座１１の軸柱１５２を回転軸心として設置されているので、手指でボタン１１１を操作して、調整棒１１２が上に引っ張られる時、弾性素子１１８の弾力により、停止ブロック１５を牽動して、柱１５１を固定座１２の停止口１２４から脱離させ、調整棒１２が適当な位置まで引っ張られ、手を緩める時、弾性素子１１８は復位して、停止ブロック１５に突柱１１６を抵止させ、且つ、柱１５１はもう一つの停止口１２４に係制される。
【００１４】
固定座１２板体は、プラスチックの一体成型でなり、スロット１２１の位置方向に、対称な導板１２２を設置し、引導座１１の滑動伸縮作動を導き、固定座１２上に、長方形孔１２３を有し、且つ、長方形孔１２３上に、ほぼ等距離で横向けに排列された停止口１２４を有し、調整棒１１２の柱１５１が滑動して係制する。
【００１５】
固定座１２板体の孔１２３一側辺が列設された停止口１２４は少なくとも１０個以上で、且つ、停止口１２４の距離は２０ｍ／ｍで、これにより、ボード１３は長距離、多段式のボード高度調整機能を達成する。人の成長過程で、身長に合わせて適当な高度に調節できる以外に、ボード１３の高度は、地面から５００ｍ／ｍ〜７２０ｍ／ｍ間に設定でき、故に、コンピュータ机用ボード１３の高度は、和室（５０ＣＭ）から高さ７２ＣＭまで適用できる。
【００１６】
本考案は、以下のような長所がある。
１．金属性引動座、及び、金属製固定座の二者が伸縮作動時に金属摩擦の傷や騒音が生じ、また、内部構造は、ギアとスプラインにより滑動し、ギア間嵌合の騒音の問題がある公知技術と比較して、本考案の金属性引動座は、プラスチック成型の固定座のスロット間で滑動し、ほぼ無騒音である。
２．本考案のボードは上下に調整が必要な時、引動座１１のボタン１１１は直接上に引いて上下に移動させることができず、使用前に、まず、補助ボタン１１０を操作しないと、連設される停止ブロック１１０１を引動座１１の鎖孔１１７から脱離しないので、ボタンは、外力によりボードや引動座がシフト、緩脱、滑落するのを防止し、安全性が高い。
３．本考案の引動座１１の調整棒１１２は、引動座１１の軸向けの中央に近い位置に設計され、引動座は引く施力による偏移分力が生成されず、省力効果がある。
４．本考案の補助ボタン１１０の外層は、突縁１１０２を設け、手指で操作しやすい。
【図面の簡単な説明】
【００１７】
【図１】本考案の立体図（一）である。
【図２】本考案の立体図（二）である。
【図３】本考案の補助ボタン脱離を示す図である。
【図４】本考案の補助ボタン係制を示す図である。
【図５】本考案の突柱係制状態を示す図である。
【図６】本考案の突柱を引く状態（一）を示す図である。
【図７】本考案の突柱を引く状態（二）を示す図である。
【図８】本考案のコンピュータ机ボードの位置調整を示す図である。
【符号の説明】
【００１８】
１        コンピュータ机
１１      引動座
１１１    ボタン
１１２    調整棒
１１３    蓋板
１１４    数字表
１１５    折縁
１１６    突柱
１１０    補助ボタン
１１０１  ブロック
１１０２  突縁
１１７    鎖孔
１１８    弾性素子
１２      固定座
１２１    スロット
１２２    導板
１２３    長方形孔
１２４    停止口
１３      ボード
１４      支承架
１５      停止ブロック
１５１    柱
１５２    軸孔
【図１】
0003121889.tif 000003
【図２】
0003121889.tif 000004
【図３】
0003121889.tif 000005
【図４】
0003121889.tif 000006
【図５】
0003121889.tif 000007
【図６】
0003121889.tif 000008
【図７】
0003121889.tif 000009
【図８】
0003121889.tif 000010